(57)【要約】      （修正有）【課題】溶接接合される先行の分割構真柱と後行の分割構真柱との鉛直精度を高めることができるとともに、その鉛直精度の調整を能率良く行う、コンパクトな構造を提供する。【解決手段】地盤に掘削された杭孔２に、構真柱１を構成する複数の分割構真柱のうち、柱低位側となる先行の分割構真柱１Ａを、それの上端部が地上側に位置する状態で鉛直方向に貫入保持し、この先行の分割構真柱１Ａの上方に、柱高位側となる後行の分割構真柱を鉛直姿勢で吊り込み、先行の分割構真柱１Ａの上端部と後行の分割構真柱の下端部とを突き合わせた状態で溶接により接合するとともに、後行の分割構真柱との溶接接合工程前に、杭孔２に貫入保持されている先行の分割構真柱１Ａの鉛直姿勢を杭孔２内の柱姿勢調整手段Ａによって設定鉛直度に修正する。【選択図】図５
2014111868.tif 000002
【特許請求の範囲】
【請求項１】
地盤に掘削された杭孔に、構真柱を構成する複数の分割構真柱のうち、柱低位側となる先行の分割構真柱を、それの上端部が地上側に位置する状態で鉛直方向に貫入保持し、この先行の分割構真柱の上方に、柱高位側となる後行の分割構真柱を鉛直姿勢で吊り込み、先行の分割構真柱の上端部と後行の分割構真柱の下端部とを突き合わせた状態で溶接により接合する構真柱の溶接接合工法であって、
前記後行の分割構真柱との溶接接合工程前に、前記杭孔に貫入保持されている先行の分割構真柱の鉛直姿勢を杭孔内の柱姿勢調整手段によって設定鉛直度に修正する鉛直姿勢修正工程が設けられている構真柱の溶接接合工法。
【請求項２】
前記柱姿勢調整手段が、先行の分割構真柱における杭孔内の上側部に相当する部位を水平方向に押圧可能な複数の水中ジャッキから構成されている請求項１記載の構真柱の溶接接合工法。
【請求項３】
地盤に掘削されている複数の前記杭孔のうち、一つの選定された杭孔において、複数の分割構真柱を順次溶接接合して所定長さの構真柱を製作し、この製作された構真柱を他の杭孔に順次建て込んだ後、最終建て込み順位の構真柱の分割構真柱を選定杭孔において順次溶接接合してそのまま建て込む設定にしてある請求項１又は２記載の構真柱の溶接接合工法。
【発明の詳細な説明】
【技術分野】
【０００１】
本発明は、建物の地下鉄骨柱等として使用する構真柱を複数に分割して施工現場に搬入し、この施工現場の地盤に形成されている杭孔を利用して、搬入された構真柱の複数の分割構真柱を鉛直方向に一連に溶接接合する構真柱の溶接接合工法に関する。
【背景技術】
【０００２】
従来の構真柱の溶接接合工法では、例えば、特許文献１に示すように、作業床の杭孔開口周囲に設置した架台に、当該架台の上面に鉛直に設けられる４本のガイド軸と、分割構真柱が貫通する鉛直方向の開口部を備え、且つ、ガイド軸に沿って昇降可能な上下一対のフレーム部と、両フレーム部の開口部に設けられる分割構真柱の掴み部と、両フレームの間に鉛直に設けられる２本のアクチュエータ（油圧ジャッキ）からなる貫入装置を装備するとともに、前記架台には、貫入装置の水平レベルを調節するためのレベル調節機構を設ける。
【０００３】
この準備工程後に、先ず、構真柱を構成する複数の分割構真柱のうち、柱低位側となる第１番目の先行の分割構真柱を揚重機で貫入装置の開口部に吊り込み、この先行の分割構真柱の上端部が下方のフレーム部の位置レベルに到達するまで下降させ、下方のフレーム部に設けられている掴み部で先行の分割構真柱の上端部を掴む。
【０００４】
次に、柱高位側となる第２番目の後行の分割構真柱を揚重機で貫入装置の開口部に吊り込み、この後行の分割構真柱の下端部が先行の分割構真柱の上端部に鉛直方向で対峙するよう上方のフレーム部の位置レベルに到達するまで下降させ、上方のフレーム部に設けられている掴み部で先行の分割構真柱の上端部を掴む。
【０００５】
その後、後行の分割構真柱を掴んでいる上方フレーム部を下降させて双方の分割構真柱の端面同士を当接させ、先行の分割構真柱の上端部と後行の分割構真柱の下端部とを突き合わせた状態で溶接により接合する。
【０００６】
そして、上方フレームの昇降と両フレーム部の掴み部の掴み替えにより、溶接接合された一連の分割構真柱を杭孔内に送り込み、この一連の分割構真柱の上端部を下方のフレーム部の掴み部で掴んだ段階で、２本のアクチュエータを利用して一連の分割構真柱の鉛直精度を調整し、この工程を繰り返して第３番目以降の後行の分割構真柱との溶接接合を行う。
【先行技術文献】
【特許文献】
【０００７】
【特許文献１】特開２０００−２４００５７号公報
【発明の概要】
【発明が解決しようとする課題】
【０００８】
従来の構真柱の溶接接合工法では、第１番目の先行の分割構真柱を貫入装置の開口部に吊り込むことにより、この先行の分割構真柱の鉛直精度を確保した状態で下方のフレーム部の掴み部で掴み、また、第２番目の後行の分割構真柱においても、同様に貫入装置の開口部に吊り込むことにより、この後行の分割構真柱の鉛直精度を確保した状態で上方のフレーム部の掴み部で掴んでいる。
【０００９】
しかし、第１番目の先行の分割構真柱が貫入装置の開口部を通過して杭孔内に貫入する際、杭孔内に存在する地盤安定液(ベントナイト、泥水等）等の外乱要因によって先行の分割構真柱の鉛直度が設定鉛直度からずれ動くことがあり、溶接接合される先行の分割構真柱と後行の分割構真柱との鉛直精度に悪影響を及ぼす可能性がある。
【００１０】
また、溶接接合された一連の分割構真柱に対しては、この一連の分割構真柱の上端部を下方のフレーム部の掴み部で掴んだ段階で、２本のアクチュエータを利用して一連の分割構真柱の鉛直精度を調整するものの、水平レベルが調整されている架台に対して、一連の分割構真柱の上端部を掴んでいる下方のフレーム部を傾動させるため、装置全体が大掛かりになり、しかも、一連の分割構真柱の上端部を掴んだ状態で杭孔内の地盤安定液中に位置する部位を振り回す関係上、下方のフレーム部の傾動代に対する分割構真柱の下端部の振れ代が大きくなり、鉛直精度の調整に高精度の技術と手間を要するため、この面で改善の余地があった。
【００１１】
本発明は、上述の実状に鑑みて為されたものであって、その主たる課題は、溶接接合される先行の分割構真柱と後行の分割構真柱との鉛直精度を高めることができるとともに、その鉛直精度の調整をコンパクトな構造で能率良く行うことのできる構真柱の溶接接合工法を提供する点にある。
【課題を解決するための手段】
【００１２】
本発明による第１の特徴構成は、地盤に掘削された杭孔に、構真柱を構成する複数の分割構真柱のうち、柱低位側となる先行の分割構真柱を、それの上端部が地上側に位置する状態で鉛直方向に貫入保持し、この先行の分割構真柱の上方に、柱高位側となる後行の分割構真柱を鉛直姿勢で吊り込み、先行の分割構真柱の上端部と後行の分割構真柱の下端部とを突き合わせた状態で溶接により接合する構真柱の溶接接合工法であって、
前記後行の分割構真柱との溶接接合工程前に、前記杭孔に貫入保持されている先行の分割構真柱の鉛直姿勢を杭孔内の柱姿勢調整手段によって設定鉛直度に修正する鉛直姿勢修正工程が設けられている点にある。
【００１３】
上記構成によれば、柱低位側となる先行の分割構真柱を杭孔に鉛直姿勢で貫入保持する際、杭孔内に存在する地盤安定液(泥水）等の外乱要因によって先行の分割構真柱の鉛直度が設定鉛直度からずれ動いた場合でも、後行の分割構真柱との溶接接合工程前において、杭孔に貫入保持されている先行の分割構真柱の鉛直姿勢を設定鉛直度に修正するので、吊り込みによって鉛直精度が確保されている後行の分割構真柱と鉛直精度の高い状態で溶接接合することができる。
【００１４】
しかも、上端部が地上側に位置する状態で鉛直方向に貫入保持されている先行の分割構真柱の鉛直度を、杭孔内に配置した柱姿勢調整手段によって修正するが故に、従来の溶接接合工法に比して、柱姿勢調整手段の単位調整代に対する先行の分割構真柱の下端部での振れ変位量が微小となり、先行の分割構真柱の鉛直度を能率良く高精度に修正することができる。
【００１５】
さらに、前記柱姿勢調整手段としても、杭孔の孔壁面と貫入保持されている先行の分割構真柱との間の環状空間を利用してコンパクトに構成することができる。
【００１６】
したがって、溶接接合される先行の分割構真柱と後行の分割構真柱との鉛直精度を高めることができるとともに、その鉛直精度の調整をコンパクトな構造で能率良く行うことができる。
【００１７】
本発明による第２の特徴構成は、前記柱姿勢調整手段が、先行の分割構真柱における杭孔内の上側部に相当する部位を水平方向に押圧可能な複数の水中ジャッキから構成されている点にある。
【００１８】
上記構成によれば、上端部が地上側に位置する状態で鉛直方向に貫入保持されている先行の分割構真柱の鉛直度を、この先行の分割構真柱における杭孔内の上側部に相当する部位を水平方向に押圧可能な複数の水中ジャッキから構成されている柱姿勢調整手段によって修正するが故に、先行の分割構真柱の鉛直度を能率良く高精度に修正することができるとともに、柱姿勢調整手段のコンパクト化と施工の容易化を図ることができる。
【００１９】
本発明による第３の特徴構成は、地盤に掘削されている複数の前記杭孔のうち、一つの選定された杭孔において、複数の分割構真柱を順次溶接接合して所定長さの構真柱を製作し、この製作された構真柱を他の杭孔に順次建て込んだ後、最終建て込み順位の構真柱の分割構真柱を選定杭孔において順次溶接接合してそのまま建て込む設定にしてある点にある。
【００２０】
上記構成によれば、地盤に掘削されている複数の杭孔のうち、選定された一つを、他の杭孔に建て込む分を含めた複数本の構真柱に対する溶接接合のための作業空間として使用するから、選定された１つの杭孔に溶接接合のための設備を集中配置することができ、溶接接合作業能率の向上を図ることができる。
【図面の簡単な説明】
【００２１】
【図１】本発明の第１実施形態を示す施工現場の平面図
【図２】溶接接合工法の第１ステップを示す断面図
【図３】上側鉛直調整装置の水中ジャッキの配置を示す平面図
【図４】下側鉛直調整装置の水中ジャッキの配置を示す平面図
【図５】溶接接合工法の第２ステップを示す断面図
【図６】溶接接合工法の第３ステップを示す断面図
【図７】溶接接合工法の第４ステップを示す溶接工程図
【図８】溶接接合工法の第５ステップを示す断面図
【図９】溶接接合工法の第６ステップを示す断面図
【図１０】溶接接合工法の第７ステップを示す断面図
【図１１】溶接接合工法の第８ステップを示す断面図
【発明を実施するための形態】
【００２２】
〔第１実施形態〕
図１〜図１１は、建築物の地下構造体の逆打ち工法において、地下鉄骨柱等として使用する構真柱１を複数に分割して施工現場に搬入し、この施工現場の地盤に地盤安定液（ベントナイト、泥水等）が満たされた状態で掘削形成されている杭孔２を利用して、搬入された構真柱１の複数の分割構真柱１Ａ〜１Ｃを鉛直方向に一連に溶接接合する構真柱の溶接接合工法を示す。
【００２３】
図１に示すように、施工現場の地盤に形成されている複数の杭孔２のうち、一連に溶接接合して製作された構真柱１を揚重機の一例であるクローラクレーンＣで吊下げ搬送可能な領域内に位置する複数の杭孔２を一つのグループとし、そのグループ内の最終建て込み順位の杭孔２を、グループ内の複数の杭孔２に建て込まれる構真柱１の製作作業孔に選定してある。
【００２４】
この構真柱１の製作作業孔として選定された杭孔２内には、図２に示すように、複数本の構真柱１の製作途中での孔壁面の崩壊を防止するための円形断面の孔壁保護用のケーシング３が予め建て込まれている。
【００２５】
［溶接接合工法の第1ステップ（準備工程）］
選定された杭孔２内で複数の分割構真柱１Ａ〜１Ｃを溶接接合するための準備工程としては、図２〜図４に示すように、作業床４の杭孔開口周囲に、高さレベルと上面の水平レベルを調整可能な溶接架台５を据付け、この溶接架台５の上面に、分割構真柱１Ａ〜１Ｃの上端部の外周面に設けられた複数のエレクションピース６を載置支持可能な井桁状の支持台７を配置する。
【００２６】
また、選定された杭孔２内の上部側には、先行の単独の分割構真柱１Ａ又は溶接接合された先行の一連の分割構真柱１Ａ，１Ｂにおける杭孔２内の上側部に相当する部位を水平方向に押圧して当該先行の単独の分割構真柱１Ａ又は先行の一連の分割構真柱１Ａ，１Ｂの鉛直姿勢を設定鉛直度に修正する柱姿勢調整手段Ａが配備されている。
【００２７】
この柱姿勢調整手段Ａは、杭孔２内の上側部に挿設された調整フレーム１０の上部に配備される上側鉛直調整装置Ａ１と下部に配備される下側鉛直調整装置Ａ２とから構成されている。
【００２８】
上側鉛直調整装置Ａ１には、図３に示すように、先行の単独の分割構真柱１Ａ又は溶接接合された先行の一連の分割構真柱１Ａ，１Ｂの左右側面１ａにおける前後中央部位及び前後側面１ｂにおける左右両端部位を各側面１ａ，１ｂの垂直方向に沿って水平方向から押圧可能なパンタグラフ式の水中ジャッキ１１が装備されている。
【００２９】
下側鉛直調整装置Ａ２には、図４に示すように、先行の単独の分割構真柱１Ａ又は溶接接合された先行の一連の分割構真柱１Ａ，１Ｂの四隅の角部１ｃを対角線方向に沿った水平方向から押圧可能なパンタグラフ式の水中ジャッキ１２から装備されている。
【００３０】
また、構真柱１を構成する複数の分割構真柱１Ａ〜１Ｃのうち、杭孔２に最初に貫入する第１番目（柱の最低位）の先行の分割構真柱１Ａの下端部は密閉され、且つ、その内部の下端側には、先行の分割構真柱１Ａ，１Ｂの上端開口側からカメラ部と望遠鏡部とを鉛直方向に組み合わせてなる鉛直計（鉛直計測器の一例）１３で鉛直度を計測するためのターゲット（図示せず）が設置されている。
【００３１】
［溶接接合工法の第２ステップ（構真柱第１節建込工程）］
図２、図５に示すように、第１番目（柱の最低位となる第1節目）の先行の分割構真柱１Ａをそれの上端部に連結した吊下げ治具を介してクローラクレーンＣで吊り下げ、溶接架台５の開口部を通して選定された杭孔２内に鉛直姿勢で吊り込み、この先行の分割構真柱１Ａの上端側のエレクションピース６を、溶接架台５の上面側の支持台７に載置支持させ、次の鉛直姿勢修正工程に移る。
【００３２】
先行の分割構真柱１Ａの上端開口側の計測基準位置に、先行の分割構真柱１Ａ内のターゲットを撮像可能な状態で鉛直計１３を設置し、この鉛直計１３でターゲットを直接視準して鉛直度を計測するか、カメラ部の撮像データをパーソナルコンピュータのモニタ画面に表示して鉛直度を計測する。
【００３３】
この鉛直度の計測結果に基づいて柱姿勢調整手段Ａの上側鉛直調整装置Ａ１を構成する複数の水中ジャッキ１１及び下側鉛直調整装置Ａ２を構成する複数の水中ジャッキ１２を駆動制御し、先行の分割構真柱１Ａの鉛直姿勢を設定鉛直度に修正する。
【００３４】
［溶接接合工法の第３ステップ（構真柱第２節建込工程）］
図６に示すように、第２番目（柱の高位側となる第２節目）の後行の分割構真柱１ＢをクローラクレーンＣで吊り下げ、鉛直姿勢が既に修正されている先行の分割構真柱１Ａの上端に対して鉛直方向で対峙（相対向）する位置に、後行の分割構真柱１Ｂを鉛直姿勢で吊り込み、先行の分割構真柱１Ａの上端部と後行の分割構真柱１Ｂの下端部とを水平方向での位置を合わせた状態で突き合わせる。
【００３５】
後行の分割構真柱１Ｂを吊り下げることによって鉛直度が確保されていると推測されるが、外乱要因による鉛直誤差を考慮して、予め設定されている後行の分割構真柱１Ｂにおける上端部の計測対象位置での鉛直度をトランシット（鉛直計測器の一例）１５で計測し、その計測結果に基づいて後行の分割構真柱１Ｂの鉛直姿勢を設定鉛直度に修正する。
【００３６】
次に、図７に示すように、先行の分割構真柱１Ａの上端部の外周面に設けた複数のエレクションピース６と後行の分割構真柱１Ｂの下端部の外周面に設けた複数のエレクションピース１７とのうち、上下方向で相対向するエレクションピース６，１７に亘って、先行の分割構真柱１Ａの上端部と後行の分割構真柱１Ｂの下端部とを設定接合姿勢で固定する固定治具１８を連結する。
【００３７】
［溶接接合工法の第４ステップ（構真柱第１、２節間溶接工程）］
図７に示すように、先行の分割構真柱１Ａの上端部と後行の分割構真柱１Ｂの下端部との突合せ部のコーナー部分をアーク溶接により接合したのち、固定治具１８を撤去するとともに、エレクションピース６，１７を切断除去し、先行の分割構真柱１Ａの上端部と後行の分割構真柱１Ｂの下端部との突合せ部の残りの部分をアーク溶接により接合する。
【００３８】
先行の分割構真柱１Ａの上端部と後行の分割構真柱１Ｂの下端部との溶接接合部を溶接中も超音波深傷検査（ＵＴ検査）で随時検査する。
【００３９】
尚、図７中のＷｅは、先行の分割構真柱１Ａの上端部と後行の分割構真柱１Ｂの下端部との突合せ部の溶接位置を示す。
【００４０】
［溶接接合工法の第５ステップ（構真柱第２節挿入工程）］
図８に示すように、後行の分割構真柱１Ｂをそれの上端部に連結した吊下げ治具を介してクローラクレーンＣに吊り下げ支持させたのち、柱姿勢調整手段Ａの上側鉛直調整装置Ａ１を構成する複数の水中ジャッキ１１及び下側鉛直調整装置Ａ２を構成する複数の水中ジャッキ１２をそれぞれ解除作動させる。
【００４１】
次に、クローラクレーンＣにより、溶接接合された一連の分割構真柱１Ａ，１Ｂを杭孔２内に下降させて送り込み、この一連の分割構真柱１Ａ，１Ｂの上端側のエレクションピース６を、溶接架台５の上面側の支持台７に載置支持させ、次の鉛直姿勢修正工程に移る。
【００４２】
一連の分割構真柱１Ａ，１Ｂの上端開口側の計測基準位置に設置した鉛直計１３により、第１番目の分割構真柱１Ａ内のターゲットを直接視準して鉛直度を計測するか、カメラ部の撮像データをパーソナルコンピュータのモニタ画面に表示して鉛直度を計測し、この鉛直度の計測結果に基づいて柱姿勢調整手段Ａの上側鉛直調整装置Ａ１を構成する複数の水中ジャッキ１１及び下側鉛直調整装置Ａ２を構成する複数の水中ジャッキ１２を駆動制御し、先行の一連の分割構真柱１Ａ，１Ｂの鉛直姿勢を設定鉛直度に修正する。
【００４３】
［溶接接合工法の第６ステップ（構真柱第３節建込工程）］
図９に示すように、第３番目（柱の最上位となる第３節目）の後行の分割構真柱１Ｃをそれの上端部に連結した吊下げ治具を介してクローラクレーンＣで吊り下げ、鉛直姿勢が既に修正されている先行の一連の分割構真柱１Ａ，１Ｂの上端に対して鉛直方向で対峙（相対向）する位置に後行の分割構真柱１Ｃを鉛直姿勢で吊り込み、先行の一連の分割構真柱１Ａ，１Ｂの上端部と後行の分割構真柱１Ｃの下端部とを水平方向での位置を合わせた状態で突き合わせる。
【００４４】
後行の分割構真柱１Ｃの上端部の計測対象位置での鉛直度をトランシット１５で計測し、その計測結果に基づいて後行の分割構真柱１Ｃの鉛直姿勢を設定鉛直度に修正する。
【００４５】
次に、先行の一連の分割構真柱１Ａ，１Ｂの上端部の外周面に設けた複数のエレクションピース６と後行の分割構真柱１Ｃの下端部の外周面に設けた複数のエレクションピース１７とのうち、上下方向で相対向するエレクションピース６，１７に亘って、先行の一連の分割構真柱１Ａ，１Ｂの上端部と後行の分割構真柱１Ｃの下端部とを設定接合姿勢で固定する固定治具１８を連結する。
【００４６】
［溶接接合工法の第７ステップ（構真柱第２、３節間溶接工程）］
図１０に示すように、先行の一連の分割構真柱１Ａ，１Ｂの上端部と後行の分割構真柱１Ｃの下端部との突合せ部のコーナー部分をアーク溶接により接合したのち、固定治具１８を撤去するとともに、エレクションピース６，１７を切断除去し、先行の一連の分割構真柱１Ａ，１Ｂの上端部と後行の分割構真柱１Ｃの下端部との突合せ部の残りの部分をアーク溶接により接合し、この溶接接合された一連の分割構真柱１Ａ，１Ｂ，１Ｃによって所定長さの構真柱１が完成する。
【００４７】
先行の一連の分割構真柱１Ａ，１Ｂの上端部と後行の分割構真柱１Ｃの下端部との溶接接合部を溶接中も超音波深傷検査（ＵＴ検査）で随時検査する。
【００４８】
［溶接接合工法の第８ステップ（構真柱の搬出工程）］
図１１に示すように、選定された杭孔２で作製された所定長さの構真柱１をクローラクレーンＣで吊り上げて選定杭孔２外に搬出し、グループ内の第１建て込み順位の杭孔２に吊り下げ搬送して建て込む。
【００４９】
上述の第１ステップ〜第８ステップの工程を繰り返して、一つの選定された杭孔２において、複数の分割構真柱１Ａ〜１Ｃを順次溶接接合して所定長さの構真柱１を製作し、この製作された構真柱１を他の杭孔２に順次建て込んだ後、最終建て込み順位の構真柱１の分割構真柱１Ａ〜１Ｃを選定杭孔２において順次溶接接合してそのまま建て込むように設定にしてある。
【００５０】
〔その他の実施形態〕
（１）上述の第１実施形態では、先行の単独の分割構真柱１Ａ又は溶接接合された先行の一連の分割構真柱１Ａ，１Ｂにおける杭孔２内の上側部（上層部）に相当する部位を水平方向に押圧して設定鉛直度に修正する柱姿勢調整手段Ａを、杭孔２内の上方側に配備される上側鉛直調整装置Ａ１と杭孔２内の下方側に配備される下側鉛直調整装置Ａ２とから構成したが、この上側鉛直調整装置Ａ１又は下側鉛直調整装置Ａ２のいずれか一方から構成してもよい。
【００５１】
また、先行の単独の分割構真柱１Ａ又は溶接接合された先行の一連の分割構真柱１Ａ，１Ｂにおける杭孔２内の同一又は略同一高さ位置の周方向複数箇所を水平方向に押圧して設定鉛直度に修正する柱姿勢調整手段Ａを、単独の分割構真柱１Ａ又一連の分割構真柱１Ａ，１Ｂの側面に対して垂直方向から押圧可能な水中ジャッキ１１と、単独の分割構真柱１Ａ又一連の分割構真柱１Ａ，１Ｂの角部を対角線方向から押圧可能な水中ジャッキ１２との組み合わせから構成してもよい。
【００５２】
さらに、前記柱姿勢調整手段Ａを、水中ジャッキ以外のアクチュエータから構成してもよい。
【００５３】
（２）上述の第１実施形態では、先行の分割構真柱の上端部と後行の分割構真柱の下端部とを突き合わせた状態でアーク溶接により接合したが、フラッシュバット溶接（突合せ抵抗溶接）等の他の溶接方法で溶接接合してもよい。
【００５４】
（３）先行の単独の分割構真柱１Ａ又は溶接接合された先行の一連の分割構真柱１Ａ，１Ｂの鉛直度を計測するにあたって、この先行の単独の分割構真柱１Ａ又は一連の分割構真柱１Ａ，１Ｂの外周面に鉛直度を計測する傾斜計（鉛直計測器の一例）を取り付けて、この傾斜計の計測情報又は他の鉛直計測情報と併用して、先行の単独の分割構真柱１Ａ又は一連の分割構真柱１Ａ，１Ｂの鉛直姿勢を設定鉛直度に修正してもよい。
【００５５】
（４）上述の第１実施形態では、前記構真柱１として、断面形状が四角形のものを用いたが、断面形状が多角形、円形、楕円形やクロスＨ形等の他の形状のものを用いてもよい。
【００５６】
（５）上述の第１実施形態では、前記構真柱１を３分割された分割構真柱１Ａ〜１Ｃから構成したが、この構真柱１を２分割された分割構真柱から構成してもよく、さらに、四つ以上に分割された分割構真柱から構成してもよい。
【符号の説明】
【００５７】
Ａ        柱姿勢調整手段
１        構真柱
１Ａ      分割構真柱
１Ｂ      分割構真柱
１Ｃ      分割構真柱
２        杭孔
１１      水中ジャッキ
１２      水中ジャッキ
【図１】
2014111868.tif 000003
【図２】
2014111868.tif 000004
【図３】
2014111868.tif 000005
【図４】
2014111868.tif 000006
【図５】
2014111868.tif 000007
【図６】
2014111868.tif 000008
【図７】
2014111868.tif 000009
【図８】
2014111868.tif 000010
【図９】
2014111868.tif 000011
【図１０】
2014111868.tif 000012
【図１１】
2014111868.tif 000013